(57)【要約】【課題】レバー操作の支点となる部分の設計上の制約を少なく抑えつつ、相手コネクタとの嵌合を解除した後に相手コネクタを取り外し易くすることができるレバー式コネクタを提供すること。【解決手段】嵌合部２０にレバー４０の回動軸突起５１ｃが支持される回動支持用溝孔２２が篏合解除方向に回動軸突起５１ｃの移動範囲を拡大する長穴状に形成されたコネクタフレーム１０と、レバー４０が嵌合解除のために回動操作される場合にレバー４０に当接してレバー４０の支点となる位置と、レバー４０に干渉しない位置との間を移動可能にコネクタフレーム１０に組み付けられたスペーサ７０と、を有し、スペーサ７０がレバー４０の支点となる位置に配置された状態でレバー４０が嵌合解除のために回動操作された場合、回動支持用溝孔２２の嵌合解除方向側の端部に回動軸突起５１ｃが移動されたレバー４０によって相手コネクタ１００が篏合解除方向に押し出される。【選択図】図２
2019102346.tif 000002
【特許請求の範囲】
【請求項１】
相手コネクタとの嵌合部に前記相手コネクタとの嵌合にかかる力を補助するレバーの回動軸突起が支持される回動支持用溝孔が前記相手コネクタの篏合解除方向に前記回動軸突起の移動範囲を拡大する長穴状に形成されたコネクタフレームと、
前記レバーが前記相手コネクタとの嵌合解除のために回動操作される場合に前記レバーに当接して前記レバーの支点となる位置と、前記レバーに干渉しない位置との間を移動可能な状態で前記コネクタフレームに組み付けられたスペーサと、
を有し、
前記スペーサが前記レバーの支点となる位置に配置された状態で前記レバーが前記相手コネクタとの嵌合解除のために回動操作された場合、前記回動支持用溝孔の嵌合解除方向側の端部に前記回動軸突起が移動された前記レバーによって前記相手コネクタが篏合解除方向に押し出される
ことを特徴とするレバー式コネクタ。
【請求項２】
前記レバーは、
前記スペーサが前記レバーの支点となる位置に配置された状態で前記スペーサにのり上げることによって前記スペーサに当接した支点となる部分であり、力点となる操作部との距離が、前記スペーサが干渉しない位置に配置された状態の支点と前記操作部との距離に比して大きくなるように前記操作部との距離を拡大する方向に突設されたレバー押し上げ突起を有する
ことを特徴とする請求項１に記載のレバー式コネクタ。
【発明の詳細な説明】
【技術分野】
【０００１】
本発明は、相手コネクタとの嵌合にかかる力を補助するためのレバーを備えたレバー式コネクタに関する。
【背景技術】
【０００２】
従来、コネクタの極数が増加すると、相手コネクタの嵌合にかかる力が増大されるため、相手コネクタとの嵌合にかかる力を補助するためのレバーを備えたレバー式コネクタが用いられる。
【０００３】
例えば、特許文献１には、雌コネクタ部に設けられた挿入規制用肉盛り部が、雄コネクタを取り外す際にレバーの回動の支点として作用し、取り外し操作を容易且つ確実なものにしているレバー式コネクタが記載されている。
【先行技術文献】
【特許文献】
【０００４】
【特許文献１】特開平１１−２６０７３号公報
【発明の概要】
【発明が解決しようとする課題】
【０００５】
しかしながら、特許文献１に記載されたレバー式コネクタは、挿入規制用肉盛り部を嵌合時におけるレバーの嵌合方向における突き当て部分として機能させるとともに、嵌合解除時におけるレバーの支点として機能させなければならず、挿入規制用肉盛り部について両方の機能を満たすための設計上の制約があった。
また、特許文献１に記載されたレバー式コネクタは、雄コネクタに設けられたボス部とボス部が挿入されるようにレバーに設けられた回転孔とが略同一形状の円状になっており、レバーが回動操作されるとレバーの回転孔内での回動範囲でしか雄コネクタが動くことができず、嵌合解除方向への移動が制限され、結果的に、雄コネクタが取り外し難くなってしまう問題があった。
【０００６】
本発明は、上記に鑑みてなされたものであって、レバー操作の支点となる部分の設計上の制約を少なく抑えつつ、相手コネクタとの嵌合を解除した後に相手コネクタを取り外し易くすることができるレバー式コネクタを提供することを目的とする。
【課題を解決するための手段】
【０００７】
上述した課題を解決し、目的を達成するために、本発明の請求項１に係るレバー式コネクタは、相手コネクタとの嵌合部に前記相手コネクタとの嵌合にかかる力を補助するレバーの回動軸突起が支持される回動支持用溝孔が前記相手コネクタの篏合解除方向に前記回動軸突起の移動範囲を拡大する長穴状に形成されたコネクタフレームと、前記レバーが前記相手コネクタとの嵌合解除のために回動操作される場合に前記レバーに当接して前記レバーの支点となる位置と、前記レバーに干渉しない位置との間を移動可能な状態で前記コネクタフレームに組み付けられたスペーサと、を有し、前記スペーサが前記レバーの支点となる位置に配置された状態で前記レバーが前記相手コネクタとの嵌合解除のために回動操作された場合、前記回動支持用溝孔の嵌合解除方向側の端部に前記回動軸突起が移動された前記レバーによって前記相手コネクタが篏合解除方向に押し出されることを特徴とする。
【０００８】
また、本発明の請求項２に係るレバー式コネクタは、上記の発明において、前記レバーが、前記スペーサが前記レバーの支点となる位置に配置された状態で前記スペーサにのり上げることによって前記スペーサに当接した支点となる部分であり、力点となる操作部との距離が、前記スペーサが干渉しない位置に配置された状態の支点と前記操作部との距離に比して大きくなるように前記操作部との距離を拡大する方向に突設されたレバー押し上げ突起を有することを特徴とする。
【発明の効果】
【０００９】
本発明に係るレバー式コネクタは、前記スペーサが前記レバーが前記相手コネクタとの嵌合解除方向に回動操作される場合に前記レバーに干渉して前記レバーの支点となる位置と、前記レバーに干渉しない位置との間を移動可能な状態で前記コネクタフレームに組み付けられているので、前記相手コネクタと嵌合する場合と嵌合を解除する場合との両方で前記レバーとの干渉の具合を考慮しながら前記レバーの支点となる部分を設計する必要がない。
また、本発明に係るレバー式コネクタは、前記スペーサが前記レバーの支点となる位置に配置された状態で、前記レバーが前記相手コネクタとの嵌合解除方向に回動操作された場合に篏合解除方向に前記回動軸突起の移動範囲を拡大する長穴状に形成された前記回動支持用溝孔の嵌合解除側の端部に前記回動軸突起が移動された前記レバーによって前記相手コネクタが篏合解除方向に押し出されるようになっているので、前記相手コネクタを取り外し易いようになっている。
従って、本発明に係るレバー式コネクタは、レバー操作の支点となる部分の設計上の制約を少なく抑えつつ、相手コネクタとの嵌合を解除した後に相手コネクタを取り外し易くすることができる。
【図面の簡単な説明】
【００１０】
【図１】図１は、本発明の実施例に係るレバー式コネクタと、レバー式コネクタに嵌合される相手コネクタとを示した斜視図であり、（ａ）および（ｂ）はそれぞれ異なる方向から視た図である。
【図２】図２は、（ａ）が嵌合したレバー式コネクタおよび相手コネクタをレバー式コネクタの嵌合口側から視た図であり、（ｂ）が嵌合したレバー式コネクタおよび相手コネクタを側方から視た図であり、（ｃ）が（ａ）に示した嵌合したレバー式コネクタおよび相手コネクタのＡ−Ａ線断面図である。
【図３】図３は、レバー式コネクタの側面図であり、（ａ）がレバーが嵌合のための回動操作完了位置に配置された状態を示した図であり、（ｂ）がレバーが嵌合解除のための回動操作完了位置に配置された状態を示した図である。
【図４】図４は、コネクタフレームの斜視図である。
【図５】図５は、（ａ）がコネクタフレームの側面図であり、（ｂ）がコネクタフレームを端部壁側から視た図であり、（ｃ）がコネクタフレームの上面図であり、（ｄ）が（ａ）に示した回動支持用溝孔周辺を拡大した図である。
【図６】図６は、レバーの斜視図である。
【図７】図７は、（ａ）がレバーの上面図であり、（ｂ）がレバーの側面図であり、（ｃ）がレバーを操作部側から視た図である。
【図８】図８は、スペーサの斜視図である。
【図９】図９は、（ａ）がスペーサの上面図であり、（ｂ）がスペーサの側面図である。
【図１０】図１０は、レバー式コネクタを相手コネクタに嵌合する手順を説明するための図であり、（ａ１）がレバーが相手コネクタとの嵌合前の待機位置にある状態のレバー式コネクタおよび相手コネクタの側面図であり、（ｂ１）が（ａ１）に示した図の上面図であり、（ｃ１）が（ｂ１）に示した図のＡ−Ａ線断面図であり、（ａ２）が相手コネクタがレバー式コネクタに篏合開始された状態のレバー式コネクタおよび相手コネクタの側面図であり、（ｂ２）が（ａ２）に示した図の上面図であり、（ｃ２）が（ｂ２）に示した図のＡ−Ａ線断面図である。
【図１１】図１１は、レバー式コネクタを相手コネクタに嵌合する手順を説明するための図であり、（ａ３）が嵌合のためのレバーの回動操作が開始された状態のレバー式コネクタおよび相手コネクタの側面図であり、（ｂ３）が（ａ３）に示した図の上面図であり、（ｃ３）が（ｂ３）に示した図のＡ−Ａ線断面図であり、（ａ４）が、レバーが篏合のためのレバー操作完了位置に配置された状態のレバー式コネクタおよび相手コネクタの側面図であり、（ｂ４）が（ａ４）に示した図の上面図であり、（ｃ４）が（ｂ４）に示した図のＡ−Ａ線断面図である。
【図１２】図１２は、（ａ）がレバーに干渉しない位置にスペーサが配置されたレバー式コネクタのスペーサ周辺の拡大図であり、（ｂ）がレバーの支点となる位置にスペーサが配置されたレバー式コネクタのスペーサ周辺の拡大図である。
【図１３】図１３は、レバー式コネクタと相手コネクタとの嵌合を解除する手順を説明するための図であり、（ａ１）が嵌合を解除するためのレバーの回動操作が開始された状態のレバー式コネクタおよび相手コネクタの側面図であり、（ｂ１）が（ａ１）に示した図の上面図であり、（ｃ１）が（ｂ１）に示した図のＡ−Ａ線断面図であり、（ａ２）がレバーがスペーサに当接する直前の位置まで回動操作された状態のレバー式コネクタおよび相手コネクタの側面図であり、（ｂ２）が（ａ２）に示した図の上面図であり、（ｃ２）が（ｂ２）に示した図のＡ−Ａ線断面図である。
【図１４】図１４は、（ａ３）が、レバーが嵌合を解除するためのレバー操作完了位置に配置された状態のレバー式コネクタおよび相手コネクタの側面図であり、（ｂ３）が（ａ３）に示した図の上面図であり、（ｃ３）が（ｂ３）に示した図のＡ−Ａ線断面図である。
【図１５】図１５は、図１４（ｃ３）のレバー押し上げ突起周辺を拡大した図である。
【図１６】図１６は、（ａ）がコネクタフレームの回動支持用溝孔周辺の拡大図であり、（ｂ）がレバーがスペーサに当接する直前まで行われる回動操作での回動支持用溝孔内における回動軸突起の位置を示した図であり、（ｃ）がレバーがスペーサを支点として行われる回動操作での回動支持用溝孔内における回動軸突起の位置を示した図である。
【発明を実施するための形態】
【００１１】
以下、図面を参照して、本発明に係るレバー式コネクタの好適な実施例を詳細に説明する。
【実施例】
【００１２】
図１は、本発明の実施例に係るレバー式コネクタ１と、レバー式コネクタ１に嵌合される相手コネクタ１００とを示した斜視図であり、（ａ）および（ｂ）はそれぞれ異なる方向から視た図である。図２は、（ａ）が嵌合したレバー式コネクタ１および相手コネクタ１００をレバー式コネクタ１の嵌合口２０ａ側から視た図であり、（ｂ）が嵌合したレバー式コネクタ１および相手コネクタ１００を側方から視た図であり、（ｃ）が（ａ）に示した嵌合したレバー式コネクタ１および相手コネクタ１００のＡ−Ａ線断面図である。図３は、レバー式コネクタ１の側面図であり、（ａ）がレバー４０が嵌合のための回動操作完了位置に配置された状態を示した図であり、（ｂ）がレバー４０が嵌合解除のための回動操作完了位置に配置された状態を示した図である。図４は、コネクタフレーム１０の斜視図である。図５は、（ａ）がコネクタフレーム１０の側面図であり、（ｂ）がコネクタフレーム１０を端部壁２３側から視た図であり、（ｃ）がコネクタフレーム１０の上面図であり、（ｄ）が（ａ）に示した回動支持用溝孔２２周辺を拡大した図である。図６は、レバー４０の斜視図である。図７は、（ａ）がレバー４０の上面図であり、（ｂ）がレバー４０の側面図であり、（ｃ）がレバー４０を操作部５２側から視た図である。図８は、スペーサ７０の斜視図である。図９は、（ａ）がスペーサ７０の上面図であり、（ｂ）がスペーサ７０の側面図である。
本発明の実施例に係るレバー式コネクタ１は、相手コネクタ１００との嵌合部２０を有するコネクタフレーム１０と、相手コネクタ１００との嵌合にかかる力を補助するレバー４０と、レバー４０の支点となる位置と、レバー４０に干渉しない位置との間を移動可能な状態でコネクタフレーム１０に組み付けられたスペーサ７０と、を有する。
【００１３】
まず、コネクタフレーム１０について説明する。
コネクタフレーム１０は、絶縁樹脂材からなり、相手コネクタ１００との嵌合方向に直交する断面がＵ字状の嵌合部２０と、嵌合部２０の嵌合口２０ａとは逆側の開口側端部に設けられたフランジ部２５と、レバー４０が当接される当接用壁部３０と、を有する。
【００１４】
嵌合部２０は、レバー４０を間に配置可能に間隔を空けて対向配置された一対の対向壁２１、２１と、一対の対向壁２１、２１の一端側を閉じる端部壁２３と、を有する。
なお、嵌合部２０は、コネクタフレーム１０によって大部分が構成され、一部がレバー４０によって構成されるようになっている。
【００１５】
各対向壁２１、２１は、端部壁２３によって閉じられた一端側周辺の嵌合口側端面が嵌合方向で最も突出されるように嵌合方向の幅が設定された幅大壁部２１ａと、幅大壁部２１ａに比して嵌合方向の幅が小さく設定された幅小壁部２１ｂと、を有する。
【００１６】
このように対向壁２１、２１の嵌合方向での幅が調整されることによって、幅大壁部２１ａが嵌合部２０の篏合口側端面として設定され、幅小壁部２１ｂの領域では、一対の対向壁２１、２１の間に配置されたレバー４０によって嵌合部２０の篏合口側端面が構成されるようになっている。
【００１７】
また、対向壁２１、２１は、レバー４０の後述する回動軸突起５１ｃが支持される回動支持用溝孔２２が形成されている。
回動支持用溝孔２２は、相手コネクタ１００の篏合解除方向に回動軸突起５１ｃの移動範囲を拡大する長穴状に形成されている。
【００１８】
端部壁２３は、スペーサ７０がレバー４０の支点となる位置と、レバー４０に干渉しない位置との間を移動可能に組み付けられる部分となるスペーサ組み付け部２４が形成されている。
【００１９】
スペーサ組み付け部２４は、端部壁２３の下部に設けられ、スペーサ７０が嵌め込まれる嵌め込み凹部２４ａと、スペーサ７０の後述する係止部７１ａがレバー４０の支点となる位置とレバー４０に干渉しない位置とで係止される被係止部２４ｂと、スペーサ７０の後述する支点用突起部７３がコネクタフレーム１０内に突出されるように形成された開口部２４ｃと、を有する。
【００２０】
嵌め込み凹部２４ａは、スペーサ７０がレバー４０の支点となる位置に係止された状態で、端部壁２３に沿って嵌め込まれるように形成された凹み部分である。
この嵌め込み凹部２４ａは、一対の対向壁２１、２１に連続される端部壁２３の壁部分にスペーサ７０の移動方向に沿って直線的に形成されたスライドガイド部２４ａａを有する。
【００２１】
被係止部２４ｂは、スペーサ７０の係止部７１ａとしての突起が係止されるようにスライドガイド部２４ａａの底面に形成された凹部であり、スペーサ７０をレバー４０の支点となる位置とレバー４０に干渉しない位置との間でスライド移動する方向に間隔を空けて設けられている。
【００２２】
開口部２４ｃは、スライドガイド部２４ａａの底面を貫通して形成された開口であり、スペーサ７０の支点用突起部７３がスライド移動される領域に対応して形成されたものである。
【００２３】
当接用壁部３０は、レバー４０が相手コネクタ１００との嵌合前の待機位置の姿勢で後述する当接用段部５１ｅを当接させる壁である。
【００２４】
次に、レバー４０について説明する。
レバー４０は、絶縁樹脂材からなり、本体部分となるレバー本体５０と、レバー本体５０に突設されたレバー押し上げ突起６０と、を有する。
【００２５】
レバー本体５０は、対向配置された一対のアーム部５１、５１と、先端部で一対のアーム部５１、５１を連結して操作部分となる操作部５２と、を有する。
【００２６】
各アーム部５１、５１は、レバー４０がコネクタフレーム１０の一対の対向壁２１、２１の間の嵌合のためのレバー操作完了位置に配置された状態で対向壁２１、２１の幅小壁部２１ｂから露出された部分が嵌合部２０の嵌合口側端面を形成するようになっている。
【００２７】
より具体的には、アーム部５１、５１は、相手コネクタ１００との嵌合前の待機位置にて嵌合部２０の嵌合口側端面を形成する第一端面５１ａと、相手コネクタ１００と嵌合完了されるレバー操作完了位置で嵌合部２０の嵌合口側端面を形成する第二端面５１ｂと、を有する。
【００２８】
第一端面５１ａは、レバー４０が嵌合のためのレバー操作完了位置に配置された状態で、コネクタフレーム１０の幅大壁部２１ａの近傍、かつ、幅大壁部２１ａの嵌合口側端面と略面一になるように形成された面である。
【００２９】
第二端面５１ｂは、レバー４０が相手コネクタ１００との嵌合前の待機位置に配置された状態で、コネクタフレーム１０の幅大壁部２１ａとは嵌合方向に直交する方向で逆側の嵌合部２０の端部周辺の嵌合口側端面を形成する。
【００３０】
このような第一端面５１ａと第二端面５１ｂとは、レバー４０の嵌合のためのレバー操作完了位置および嵌合前の待機位置でそれぞれが開口端面となるように角度を付けて連接されている。
【００３１】
また、アーム部５１、５１は、レバー４０の回動軸でありコネクタフレーム１０の回動支持用溝孔２２に挿入される回動軸突起５１ｃと、相手コネクタ１００のカム突起１１０をガイドするカム溝５１ｄと、を有する。
【００３２】
カム溝５１ｄは、レバー４０が相手コネクタ１００との嵌合前の待機位置にある状態で、相手コネクタ１００のカム突起１１０が篏合方向から導入されるように、開口５１ｄｄが嵌合方向に向くようになっている。
【００３３】
また、アーム部５１、５１は、操作部５２側とは逆側の端部に相手コネクタ１００との嵌合前の待機位置の姿勢でコネクタフレーム１０の当接用壁部３０に当接される当接用段部５１ｅが設けられている。
【００３４】
操作部５２は、レバー４０の先端部の操作部として機能するとともに、レバー４０が嵌合のためのレバー操作完了位置に配置された場合、嵌合部２０の一部をなすように配置される部分でもある。
より具体的には、操作部５２は、レバー４０が嵌合のためのレバー操作完了位置に配置された場合、コネクタフレーム１０の一対の対向壁２１、２１の端部壁２３によって閉じられた一端側とは逆側の開口側の端部を閉じる壁として、一対の対向壁２１、２１の開口側の端部の間に配置されるようになっている。
すなわち、レバー４０が嵌合のためのレバー操作完了位置に配置された状態で、コネクタフレーム１０とレバー４０とを合わせて構成される嵌合部２０が筒状体を形成するようになっている。
【００３５】
レバー押し上げ突起６０は、スペーサ７０がレバー４０の支点となる位置に配置された状態でスペーサ７０にのり上げることによってスペーサ７０に当接した支点となる部分であり、力点となる操作部５２との距離が、スペーサ７０が干渉しない位置に配置された状態の支点と操作部５２の距離に比して大きくなるように操作部５２との距離を拡大する方向に突設されている。
【００３６】
レバー押し上げ突起６０は、より具体的には、各アーム部５１、５１の操作部５２側とは逆側の端部に突設された部分である。
このレバー押し上げ突起６０は、レバー４０が相手コネクタ１００との嵌合解除のために回動操作される場合に、レバー４０の支点となる位置に配置されたスペーサ７０の後述する支点用突起部７３にのり上げることによって支点用突起部７３に当接された部分をレバー４０の支点として機能させる部分である。
【００３７】
次に、スペーサ７０について説明する。
スペーサ７０は、図８および図９に示すように、一対のガイド支持片部７１、７１と、一対のガイド支持片部７１、７１の端部を連結する部分となる連結部７２と、レバー４０の支点となる位置に配置された状態でレバー押し上げ突起６０が嵌合解除のために回動操作される場合にのり上げる部分となるように各ガイド支持片部７１、７１に設けられた支点用突起部７３、７３と、を有する。
【００３８】
各ガイド支持片部７１、７１は、内面にコネクタフレーム１０の被係止部２４ｂに嵌め込まれる係止部７１ａが突設されている。
【００３９】
連結部７２は、スペーサ７０がレバー４０の支点となる位置に配置された状態で、コネクタフレーム１０の嵌め込み凹部２４ａに嵌め込まれて端部壁２３の外面に略面一となって収納されるように、外面が端部壁２３の外面に対応した形状になっている。
なお、連結部７２は、嵌め込み凹部２４ａからスペーサ７０を引き出す際に摘まむことができるように、両端部に端部壁２３の外面から一部が露出されるように迫り出した摘み角部７２ａ、７２ａが設けられている。
【００４０】
支点用突起部７３は、各ガイド支持片部７１の先端部にガイド支持片部７１の内側に向けて突設されている。
【００４１】
このようなスペーサ７０は、一対のガイド支持片部７１、７１が嵌め込み凹部２４ａの各スライドガイド部２４ａａに嵌め込まれた状態で、レバー４０に当接してレバー４０の支点となる位置と、レバー４０に干渉しない位置との２つの係止位置間をスライド移動可能になっている。
【００４２】
次に、図１０−図１２を用いてレバー式コネクタ１と相手コネクタ１００とを嵌合する手順および各部の動作について説明する。
図１０は、レバー式コネクタ１を相手コネクタ１００に嵌合する手順を説明するための図であり、（ａ１）がレバー４０が相手コネクタ１００との嵌合前の待機位置にある状態のレバー式コネクタ１および相手コネクタ１００の側面図であり、（ｂ１）が（ａ１）に示した図の上面図であり、（ｃ１）が（ｂ１）に示した図のＡ−Ａ線断面図であり、（ａ２）が相手コネクタ１００がレバー式コネクタ１に篏合開始された状態のレバー式コネクタ１および相手コネクタ１００の側面図であり、（ｂ２）が（ａ２）に示した図の上面図であり、（ｃ２）が（ｂ２）に示した図のＡ−Ａ線断面図である。図１１は、レバー式コネクタ１を相手コネクタ１００に嵌合する手順を説明するための図であり、（ａ３）が嵌合のためのレバー４０の回動操作が開始された状態のレバー式コネクタ１および相手コネクタ１００の側面図であり、（ｂ３）が（ａ３）に示した図の上面図であり、（ｃ３）が（ｂ３）に示した図のＡ−Ａ線断面図であり、（ａ４）が、レバー４０が篏合のためのレバー操作完了位置に配置された状態のレバー式コネクタ１および相手コネクタ１００の側面図であり、（ｂ４）が（ａ４）に示した図の上面図であり、（ｃ４）が（ｂ４）に示した図のＡ−Ａ線断面図である。図１２は、（ａ）がレバー４０に干渉しない位置にスペーサ７０が配置されたレバー式コネクタ１のスペーサ７０周辺の拡大図であり、（ｂ）がレバー４０の支点となる位置にスペーサ７０が配置されたレバー式コネクタ１のスペーサ７０周辺の拡大図である。
【００４３】
まず、作業者は、レバー４０が相手コネクタ１００との嵌合前の待機位置にある状態のレバー式コネクタ１の嵌合部２０に相手コネクタ１００を嵌合開始する（図１０（ａ１）、（ｂ１）、（ｃ１）、（ａ２）、（ｂ２）、（ｃ２）参照）。
レバー４０が相手コネクタ１００との嵌合前の待機位置にあると、カム溝５１ｄの開口５１ｄｄが嵌合方向に向けられ、このカム溝５１ｄの開口５１ｄｄから相手コネクタ１００のカム突起１１０がカム溝５１ｄ内に導入開始される。
なお、この作業では、スペーサ７０は、コネクタフレーム１０の嵌め込み凹部２４ａから引き出されてレバー４０に干渉しない位置に配置されている（図１２（ａ）参照）。
また、レバー４０の当接用段部５１ｅがコネクタフレーム１０の当接用壁部３０に当接されることによって、レバー４０が嵌合前の待機位置の姿勢に保持されるようになっている。
【００４４】
その後、作業者は、レバー４０の回動操作を開始する（図１１（ａ３）、（ｂ３）、（ｃ３）参照）。
レバー４０の回動操作が開始されると、レバー４０のカム溝５１ｄと相手コネクタ１００のカム突起１１０とのカム作用によって、相手コネクタ１００が嵌合方向に移動される。
なお、この作業でも、スペーサ７０は、コネクタフレーム１０の嵌め込み凹部２４ａから引き出されてレバー４０に干渉しない位置に配置されたままにしておく（図１２（ａ）参照）。
【００４５】
その後、作業者は、レバー４０を篏合のためのレバー操作完了位置に配置する（図１１（ａ４）、（ｂ４）、（ｃ４）参照）。
レバー４０が篏合のためのレバー操作完了位置に配置されると、レバー式コネクタ１と相手コネクタ１００とが嵌合完了される。
このようにしてレバー式コネクタ１と相手コネクタ１００とが嵌合完了された状態で、作業者は、スペーサ７０を嵌め込み凹部２４ａに押し込むことによってレバー４０の支点となる位置に移動する（図１２（ｂ）参照）。
【００４６】
次に、図１３−図１６を用いてレバー式コネクタ１と相手コネクタ１００との嵌合を解除する手順および各部の動作について説明する。
図１３は、レバー式コネクタ１と相手コネクタ１００との嵌合を解除する手順を説明するための図であり、（ａ１）が嵌合を解除するためのレバー４０の回動操作が開始された状態のレバー式コネクタ１および相手コネクタ１００の側面図であり、（ｂ１）が（ａ１）に示した図の上面図であり、（ｃ１）が（ｂ１）に示した図のＡ−Ａ線断面図であり、（ａ２）がレバー４０がスペーサ７０に当接する直前の位置まで回動操作された状態のレバー式コネクタ１および相手コネクタ１００の側面図であり、（ｂ２）が（ａ２）に示した図の上面図であり、（ｃ２）が（ｂ２）に示した図のＡ−Ａ線断面図である。図１４は、（ａ３）が、レバー４０が嵌合を解除するためのレバー操作完了位置に配置された状態のレバー式コネクタ１および相手コネクタ１００の側面図であり、（ｂ３）が（ａ３）に示した図の上面図であり、（ｃ３）が（ｂ３）に示した図のＡ−Ａ線断面図である。図１５は、図１４（ｃ３）のレバー押し上げ突起６０周辺を拡大した図である。図１６は、（ａ）がコネクタフレーム１０の回動支持用溝孔２２周辺の拡大図であり、（ｂ）がレバー４０がスペーサ７０に当接する直前まで行われる回動操作での回動支持用溝孔２２内における回動軸突起５１ｃの位置を示した図であり、（ｃ）がレバー４０がスペーサ７０を支点として行われる回動操作での回動支持用溝孔２２内における回動軸突起５１ｃの位置を示した図である。
【００４７】
まず、作業者は、相手コネクタ１００と嵌合完了された状態のレバー式コネクタ１のレバー４０の回動操作を開始する（図１３（ａ１）、（ｂ１）、（ｃ１）、（ａ２）、（ｂ２）、（ｃ２）参照）。
なお、この作業では、スペーサ７０は、レバー４０の支点となる位置に配置されている。
レバー４０がスペーサ７０にのり上げる直前の位置まで行われる回動操作では、レバー４０の回動軸突起５１ｃがコネクタフレーム１０の回動支持用溝孔２２の相手コネクタ１００の嵌合解除方向とは逆側の端部位置にて支持されている（図１６（ｂ）参照）。
なお、レバー４０がスペーサにのり上げる直前の位置まで回動操作されると、図１３（ｃ２）に示すように、レバー４０のカム溝５１ｄの開口５１ｄｄが嵌合方向に向けられた状態になるため、相手コネクタ１００をレバー式コネクタ１から取り外すことができる状態になっている。
【００４８】
作業者は、相手コネクタ１００をレバー式コネクタ１から取り外すことができる状態からさらにレバー４０の回動操作を行う（図１４（ａ３）、（ｂ３）、（ｃ３）参照）。
このレバー４０のさらなる回動操作によって、レバー４０のレバー押し上げ突起６０がスペーサ７０の支点用突起部７３にのり上げ（図１５参照）、レバー４０がレバー押し上げ突起６０と支点用突起部７３、７３との当接部分を支点として回動される。
なお、レバー４０のレバー押し上げ突起６０がスペーサ７０の支点用突起部７３にのり上げた状態でレバー４０が回動されると、レバー４０の当接用段部５１ｅがコネクタフレーム１０の当接用壁部３０の上部にのりあげることによってレバー４０のさらなる回動操作が可能になっている。
【００４９】
また、レバー押し上げ突起６０が支点用突起部７３にのり上げることによって、レバー４０の支点が回動軸突起５１ｃと回動支持用溝孔２２との当接部分からレバー押し上げ突起６０と支点用突起部７３との当接部分に変化する。
このようにレバー４０の支点がレバー押し上げ突起６０と支点用突起部７３との当接部分に変化することに対応して、レバー４０の回動軸突起５１ｃがコネクタフレーム１０の回動支持用溝孔２２の相手コネクタ１００の嵌合解除方向側の端部位置に移動される（図１６（ｂ）参照）。
回動軸突起５１ｃが回動支持用溝孔２２の相手コネクタ１００の嵌合解除方向側の端部位置に移動されることによって、レバー４０によって、相手コネクタ１００が嵌合解除方向に押し出されるため、作業者は、レバー式コネクタ１から相手コネクタ１００を容易に取り外すことができる。
【００５０】
また、レバー４０のレバー押し上げ突起６０がスペーサ７０の支点用突起部７３にのり上げて支点の位置が変化されると支点と力点との距離が長くなるので、レバー４０のレバー押し上げ突起６０がスペーサ７０の支点用突起部７３にのり上げる前に比較して小さい力でレバー４０の回動操作を行うことができる。
【００５１】
本発明の実施例に係るレバー式コネクタ１は、スペーサ７０がレバー４０が相手コネクタ１００との嵌合解除方向に回動操作される場合にレバー４０に干渉してレバー４０の支点となる位置と、レバー４０に干渉しない位置との間を移動可能な状態でコネクタフレーム１０に組み付けられているので、相手コネクタ１００と嵌合する場合と嵌合を解除する場合との両方でレバー４０との干渉の具合を考慮しながらレバー４０の支点となる部分を設計する必要がない。
また、本発明の実施例に係るレバー式コネクタ１は、スペーサ７０がレバー４０の支点となる位置に配置された状態で、レバー４０が相手コネクタ１００との嵌合解除方向に回動操作された場合に篏合解除方向に回動軸突起５１ｃの移動範囲を拡大する長穴状に形成された回動支持用溝孔２２の嵌合解除側の端部に回動軸突起５１ｃが移動されたレバー４０によって相手コネクタ１００が篏合解除方向に押し出されるようになっているので、相手コネクタ１００を取り外し易いようになっている。
従って、本発明の実施例に係るレバー式コネクタ１は、レバー操作の支点となる部分の設計上の制約を少なく抑えつつ、相手コネクタとの嵌合を解除した後に相手コネクタを取り外し易くすることができる。
【００５２】
また、本発明の実施例に係るレバー式コネクタ１は、レバー押し上げ突起６０が、スペーサ７０がレバー４０の支点となる位置に配置された状態でスペーサにのり上げることによってスペーサ７０に当接した支点となる部分であり、力点となる操作部５２との距離が、スペーサ７０が干渉しない位置に配置された状態のレバー４０の支点と操作部５２との距離に比して大きくなるように操作部５２との距離を拡大する方向に突設されているので、回動操作に必要な力を小さく抑えることができる。
【００５３】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５４】
１        レバー式コネクタ
１０      コネクタフレーム
２０      嵌合部
２０ａ    篏合口
２１      対向壁
２１ａ    幅大壁部
２１ｂ    幅小壁部
２２      回動支持用溝孔
２３      端部壁
２４      スペーサ組み付け部
２４ａ    嵌め込み凹部
２４ａａ  スライドガイド部
２４ｂ    被係止部
２４ｃ    開口部
２５      フランジ部
３０      当接用壁部
４０      レバー
５０      レバー本体
５１      アーム部
５１ａ    第一端面
５１ｂ    第二端面
５１ｃ    回動軸突起
５１ｄ    カム溝
５１ｄｄ  開口
５１ｅ    当接用段部
５２      操作部
６０      レバー押し上げ突起
７０      スペーサ
７１      ガイド支持片部
７１ａ    係止部
７２      連結部
７２ａ    摘まみ角部
７３      支点用突起部
１００    相手コネクタ
１１０    カム突起
【図１】
2019102346.tif 000003
【図２】
2019102346.tif 000004
【図３】
2019102346.tif 000005
【図４】
2019102346.tif 000006
【図５】
2019102346.tif 000007
【図６】
2019102346.tif 000008
【図７】
2019102346.tif 000009
【図８】
2019102346.tif 000010
【図９】
2019102346.tif 000011
【図１０】
2019102346.tif 000012
【図１１】
2019102346.tif 000013
【図１２】
2019102346.tif 000014
【図１３】
2019102346.tif 000015
【図１４】
2019102346.tif 000016
【図１５】
2019102346.tif 000017
【図１６】
2019102346.tif 000018